(57)【特許請求の範囲】
【請求項１】
インクを貯留するインク貯留部と、基端部及び該基端部の反対側の先端部を有するペン先部であって、インクの塗布対象にインクを塗布するためのペン先部と、インク貯留部のインクをペン先部に向けて誘導するインク誘導部と、ペン先部を挿通させる貫通孔を有し、ペン先部を貫通孔に挿通させた状態で、該ペン先部の先端部を露出させつつ少なくともペン先部の基端部を保持するホルダー部とを備え、該ホルダー部には、前記貫通孔を画定し、且つペン先部の基端部を拘束可能な内周面上で開口した第一開放部と、該第一開放部に連通し且つ該第一開放部から外方に向かって延びる空間であって、インク誘導部からのインクを保持可能な空間により構成されるインク保持部と、が形成されていることを特徴とするペン。
【請求項２】
インク保持部は、スリット状に形成されている請求項１に記載のペン。
【請求項３】
第一開放部は、スリット状に形成されている請求項１又は２に記載のペン。
【請求項４】
第一開放部は、前記内周面に複数形成され、該複数の第一開放部のそれぞれには、個別の前記インク保持部が連通している請求項１乃至３の何れか１項に記載のペン。
【請求項５】
ホルダー部は、ペン先部の先端部を延出させる先端面と、貫通孔の周囲に形成された環状面であって、前記先端面に対して反対側を向く環状面とを有するとともに、該ホルダー部には、前記インク保持部に連通し且つ前記環状面上で開口した第二開放部が形成されている請求項１乃至４の何れか１項に記載のペン。
【請求項６】
第二開放部は、スリット状に形成されている請求項５に記載のペン。
【請求項７】
インク誘導部は、インク貯留部に接続される一端部と、該一端部と反対側の他端部とを有する棒状に形成され、該他端部は、第二開放部に重なるように形成されている請求項５又は６に記載のペン。
【請求項８】
インク誘導部の他端部は、自身の軸心を基準にして分割された少なくとも二つ以上に分割部を有し、二つ以上の分割部は、自身の軸心と交差する方向に延出し、第二開放部に重なるように形成されている請求項７に記載のペン。
【請求項９】
インクを貯留するインク貯留部であって、ペンの外装を構成する胴軸部に収容されるインク貯留部と、基端部及び該基端部の反対側の先端部を有するペン先部であって、胴軸部から露出してインクの塗布対象にインクを塗布するためのペン先部と、インク貯留部のインクをペン先部に向けて誘導するインク誘導部と、ペン先部を挿通させる貫通孔を有し、ペン先部を貫通孔に挿通させた状態で、該ペン先部の先端部を露出させつつ少なくともペン先部の基端部を保持するホルダー部とを備え、該ホルダー部には、前記貫通孔を画定し、且つペン先部の基端部を拘束可能な内周面上で開口した第一開放部と、該第一開放部に連通し且つ該第一開放部から外方に向かって延びる空間であって、インク誘導部からのインクを保持可能な空間により構成されるインク保持部と、が形成されていることを特徴とするペン用リフィル。
【請求項１０】
インク保持部は、スリット状に形成されている請求項９に記載のペン用リフィル。
【請求項１１】
第一開放部は、スリット状に形成されている請求項９又は１０に記載のペン用リフィル。
【請求項１２】
第一開放部は、前記内周面に複数形成され、該複数の第一開放部のそれぞれには、個別の前記インク保持部が連通している請求項９乃至１１の何れか１項に記載のペン用リフィル。
【請求項１３】
ホルダー部は、ペン先部の先端部を延出させる先端面と、貫通孔の周囲に形成された環状面であって、前記先端面に対して反対側を向く環状面とを有するとともに、該ホルダー部には、前記インク保持部に連通し且つ前記環状面上で開口した第二開放部が形成されている請求項９乃至１２の何れか１項に記載のペン用リフィル。
【請求項１４】
第二開放部は、スリット状に形成されている請求項１３に記載のペン用リフィル。
【請求項１５】
インク誘導部は、インク貯留部に接続される一端部と、該一端部と反対側の他端部とを有する棒状に形成され、該他端部は、第二開放部に重なるように形成されている請求項１３又は１４に記載のペン用リフィル。
【請求項１６】
インク誘導部の他端部は、自身の軸心を基準にして分割された少なくとも二つ以上に分割部を有し、二つ以上の分割部は、自身の軸心と交差する方向に延出し、第二開放部に重なるように形成されている請求項１５に記載のペン用リフィル。
【発明の詳細な説明】
【技術分野】
【０００１】
本発明は、筆記具や化粧具として用いられるペン及びペン用リフィルに関する。
【背景技術】
【０００２】
従来から、筆記具や化粧具等には、種々タイプのものがあり、その一つとして、インクを対象物等に塗布可能に構成されたペンが公知である。
【０００３】
この種のペンは、インクを貯留するインク貯留部と、インクの塗布対象にインクを塗布するためのペン先部と、インク貯留部のインクをペン先部に向けて誘導するインク誘導部とを備える。
【０００４】
インク貯留部は、インクを収容する内部空間を画定した周壁部を有する。インク貯留部には、種々のものがあり、例えば、内部空間に液状のインクを充填したもの（例えば、特許文献１参照）や、内部空間全体に充填された吸液性を有するインク吸蔵材にインクを吸蔵させたもの（例えば、特許文献２参照）、内部空間の所定領域に液状のインクを充填し、内部空間の残りの領域に充填された吸液性を有するインク吸蔵材にインクを吸蔵させたもの（例えば、特許文献３参照）等がある。
【０００５】
ペン先部には、多数の毛を束ねたものや、繊維材を棒状に成形したものがある。ペン先部は、インク誘導部に接続される基端部と、該基端部の反対に位置する先端部であって、塗布対象に接触させる先端部とを有し、インク誘導部からのインクを毛細管力或いは表面張力によって基端部から先端部にかけて付着させるようになっている。
【０００６】
インク誘導部は、一般的に、誘導芯或いは中継芯と呼ばれるもので、棒状に成形される。インク誘導部は、インク貯留部に接続される一端と、該一端の反対側の他端であって、ペン先部に接続される他端とを有し、外面又は内部の少なくとも何れか一方に一端と他端とを連通させる連通部を有する。連通部は、連続気泡、連続微孔、微小溝等であり、これにより、インク誘導部は、連通部の毛細管力により、インク貯留部のインクをペン先部にまで誘導する。
【０００７】
この種のペンは、インクの塗布対象にペン先部の先端部を接触させると、ペン先部にあるインクが塗布対象に乗り移り、当該ペン先部のインクが消費される。そうすると、ペン先部の毛細管力又は表面張力により、インク誘導部にあるインクがペン先部に供給される。これに伴い、インク誘導部の毛細管力又は表面張力により、インク貯留部にあるインクがインク誘導部に供給される。
【０００８】
これにより、この種のペンは、インクの塗布対象に対して連続的にインクを塗布できるようになっている。
【先行技術文献】
【特許文献】
【０００９】
【特許文献１】実公昭６０−７１９１号公報
【特許文献２】特開２００５−３４２９５０号公報
【特許文献３】特開２０１２−１３５９８２号公報
【発明の概要】
【発明が解決しようとする課題】
【００１０】
ところで、この種のペンは、未使用状態が続くとペン先部が乾燥し、円滑に使用を開始できなくなることがある。
【００１１】
具体的には、この種のペンは、ペン先部に付着したインクが消費されると、インク貯留部にあったインクがペン先部に供給されるため、ペン先部を保湿状態で維持させることができる。
【００１２】
しかし、この種のペンは、未使用状態が続くとペン先部に新たなインクが供給されないため、既にペン先部に付着しているインクがそのまま蒸発或いは揮発する傾向にある。これに伴い、ペン先部が乾燥し、インクの成分や異物がペン先部で固まることがある。
【００１３】
そのため、この種のペンでは、使用できなくなったり、インク貯留部のインクがペン先部にまで供給されるまで（ペン先部がインクで潤沢になるまで）、使用できなくなったりするといった問題があった。
【００１４】
そこで、本発明は、ペン先部の乾きを抑制し、円滑に使用を開始することのできるペン及びペン用リフィルを提供することを課題とする。
【課題を解決するための手段】
【００１５】
本発明に係るペンは、インクを貯留するインク貯留部と、基端部及び該基端部の反対側の先端部を有するペン先部であって、インクの塗布対象にインクを塗布するためのペン先部と、インク貯留部のインクをペン先部に向けて誘導するインク誘導部と、ペン先部を挿通させる貫通孔を有し、ペン先部を貫通孔に挿通させた状態で、該ペン先部の先端部を露出させつつ少なくともペン先部の基端部を保持するホルダー部とを備え、該ホルダー部には、前記貫通孔を画定し、且つペン先部の基端部を拘束可能な内周面上で開口した第一開放部と、該第一開放部に連通し且つ該第一開放部から外方に向かって延びる空間であって、インク誘導部からのインクを保持可能な空間により構成されるインク保持部と、が形成されていることを特徴とする。
【００１６】
上記構成のペンによれば、インク貯留部のインクがインク誘導部を介してペン先部に供給され、ペン先部がインクで潤沢になる。
【００１７】
これにより、ホルダー部から露出するペン先部の先端部がインクの塗布対象に接触すると、ペン先部に付着したインクが塗布対象に乗り移り、ペン先部のインクが消費される。これに伴い、インク貯留部に貯留されたインクが、インク誘導部を介してペン先部に供給される。
【００１８】
従って、上記構成のペンは、インクの塗布対象に対してインクを連続的に塗布することができる。
【００１９】
そして、上述の如く、インク貯留部のインクがインク誘導部に供給されると、該インクは、インク保持部に直接的又は間接的に供給され、インク保持部に保持される。すなわち、インク保持部にインクが保持されることで、ペン先部の周囲にインクの液貯めが形成される。
【００２０】
ホルダー部は、貫通孔を画定する内周面上で開口した第一開放部であって、インク保持部と連通する第一開放部とを備えているため、インク保持部に保持されたインクが貫通孔に挿通されたペン先部に対して触れた状態になり、ペン先部に保湿効果が与えられる。その結果、ペン先部の乾きが抑制され、円滑な使用の開始が可能となる。
【００２１】
本発明の一態様として、インク保持部は、スリット状に形成されることが好ましい。このようにすれば、インク保持部に毛細管力を発揮させることができ、流入したインクを確実に保持することができる。
【００２２】
本発明の他態様として、第一開放部は、スリット状に形成されることが好ましい。このようにすれば、第一開放部に毛細管力を発揮させることができる。これにより、第一開放部において、インクの引き込み力、或いはインクの保持力を持たせることができる。
【００２３】
本発明の別の態様として、第一開放部は、前記内周面に複数形成され、該複数の第一開放部のそれぞれには、個別の前記インク保持部が連通していることが好ましい。
【００２４】
このように、インク保持部が貫通孔の周囲に複数形成されることで、ペン先部の外周周りの複数箇所にインクの液溜まりが形成されることになる。そして、第一開放部が複数のインク保持部に対応して貫通孔の周囲に複数形成されることで、ペン先部の周囲の複数箇所にインクが触れるため、ペン先部に対する保湿効果をより高めることができる。
【００２５】
本発明のさらに別の態様として、ホルダー部は、ペン先部の先端部を延出させる先端面と、貫通孔の周囲に形成された環状面であって、前記先端面に対して反対側を向く環状面とを有するとともに、該ホルダー部には、前記インク保持部に連通し且つ前記環状面上で開口した第二開放部が形成されていることが好ましい。
【００２６】
このようにすれば、第一開放部及び第二開放部のそれぞれが、インク保持部と連通しているため、第一開放部及び第二開放部の少なくとも何れか一方からインク保持部にインクが流入する。そして、インク保持部が第一開放部及び第二開放部の二箇所で開放した空間となるため、第一開放部又は第二開放部の何れか一方からインク保持部に向けてインクが流入するときに、第一開放部又は第二開放部の何れか他方からインク保持部内の空気又はインクが外部に押し出される。これにより、上記構成のホルダー部を備えたペンは、インク誘導部からのインクをインク保持部に対して円滑に流入させることができるため、インク保持部に必要十分なインクを保持させることができる。
【００２７】
この場合、第二開放部は、スリット状に形成されることが好ましい。このようにすれば、第二開放部に毛細管力を発揮させることができる。これにより、第二開放部において、インクの引き込み力、或いはインクの保持力を持たせることができる。
【００２８】
また、インク誘導部は、インク貯留部に接続される一端部と、該一端部と反対側の他端部とを有する棒状に形成され、該他端部は、第二開放部に重なるように形成されていてもよい。
【００２９】
このようにすれば、インク貯留部のインクは、ホルダー部の第二開放部に重なるインク誘導部の他端部に誘導される。従って、インクが第二開放部からインク保持部に流入し、インク保持部がインクで充満する。この状態で、インク誘導部からインクが供給されると、インク保持部がインクで充満した状態を維持しつつインク保持体内のインクが第一開放部からペン先部に供給される。そして、ペン先部のインクがインクの塗布対象に乗り移り、ペン先部のインクが消費されると、上述の経路を辿ってインクがペン先部に供給される。そして、未使用状態になった場合、インク保持部がインクを保持した状態を維持するため、ペン先部は保湿状態で維持される。
【００３０】
この場合、インク誘導部の他端部は、自身の軸心を基準にして分割された少なくとも二つ以上に分割部を有し、二つ以上の分割部は、自身の軸心と交差する方向に延出し、第二開放部に重なるように形成されてもよい。このようにすれば、単純な構成としつつ第二開放部にインクを供給することができる。すなわち、棒状の素材の端部を分割して（引き裂いて）曲げ加工した単純な構成で、第二開放部にインクを供給することができる。
【００３１】
本発明に係るペン用リフィルは、インクを貯留するインク貯留部であって、ペンの外装を構成する胴軸部に収容されるインク貯留部と、基端部及び該基端部の反対側の先端部を有するペン先部であって、胴軸部から露出してインクの塗布対象にインクを塗布するためのペン先部と、インク貯留部のインクをペン先部に向けて誘導するインク誘導部と、ペン先部を挿通させる貫通孔を有し、ペン先部を貫通孔に挿通させた状態で、該ペン先部の先端部を露出させつつ少なくともペン先部の基端部を保持するホルダー部とを備え、該ホルダー部には、前記貫通孔を画定し、且つペン先部の基端部を拘束可能な内周面上で開口した第一開放部と、該第一開放部に連通し且つ該第一開放部から外方に向かって延びる空間であって、インク誘導部からのインクを保持可能な空間により構成されるインク保持部と、が形成されていることを特徴とする。
【００３２】
上記構成のペン用リフィルによれば、インク貯留部のインクがインク誘導部を介してペン先部に供給され、ペン先部がインクで潤沢になる。
【００３３】
これにより、ホルダー部から露出するペン先部の先端部がインクの塗布対象に接触すると、ペン先部に付着したインクが塗布対象に乗り移り、ペン先部のインクが消費される。これに伴い、インク貯留部に貯留されたインクが、インク誘導部を介してペン先部に供給される。
【００３４】
従って、上記構成のペンは、インクの塗布対象に対してインクを連続的に塗布することができる。
【００３５】
そして、上述の如く、インク貯留部のインクがインク誘導部に供給されると、該インクは、インク保持部に直接的又は間接的に供給され、インク保持部に保持される。すなわち、インク保持部にインクが保持されることで、ペン先部の周囲にインクの液貯めが形成される。
【００３６】
ホルダー部は、貫通孔を画定する内周面上で開口した第一開放部であって、インク保持部と連通する第一開放部とを備えているため、インク保持部に保持されたインクが貫通孔に挿通されたペン先部に対して触れた状態になり、ペン先部に保湿効果が与えられる。その結果、ペン先部の乾きが抑制され、円滑な使用の開始が可能となる。
【００３７】
本発明の一態様として、インク保持部は、スリット状に形成されることが好ましい。このようにすれば、インク保持部に毛細管力を発揮させることができ、流入したインクを確実に保持することができる。
【００３８】
本発明の他態様として、第一開放部は、スリット状に形成されることが好ましい。このようにすれば、第一開放部に毛細管力を発揮させることができる。これにより、第一開放部において、インクの引き込み力、或いはインクの保持力を持たせることができる。
【００３９】
本発明の別の態様として、第一開放部は、前記内周面に複数形成され、該複数の第一開放部のそれぞれには、個別の前記インク保持部が連通していることが好ましい。
【００４０】
このように、インク保持部が貫通孔の周囲に複数形成されることで、ペン先部の外周周りの複数箇所にインクの液溜まりが形成されることになる。そして、第一開放部が複数のインク保持部に対応して貫通孔の周囲に複数形成されることで、ペン先部の周囲の複数箇所にインクが触れるため、ペン先部に対する保湿効果をより高めることができる。
【００４１】
本発明のさらに別の態様として、ホルダー部は、ペン先部の先端部を延出させる先端面と、貫通孔の周囲に形成された環状面であって、前記先端面に対して反対側を向く環状面とを有するとともに、該ホルダー部には、前記インク保持部に連通し且つ前記環状面上で開口した第二開放部が形成されていることが好ましい。
【００４２】
このようにすれば、第一開放部及び第二開放部のそれぞれが、インク保持部と連通しているため、第一開放部及び第二開放部の少なくとも何れか一方からインク保持部にインクが流入する。そして、インク保持部が第一開放部及び第二開放部の二箇所で開放した空間となるため、第一開放部又は第二開放部の何れか一方からインク保持部に向けてインクが流入するときに、第一開放部又は第二開放部の何れか他方からインク保持部内の空気又はインクが外部に押し出される。これにより、上記構成のホルダー部を備えたペンは、インク誘導部からのインクをインク保持部に対して円滑に流入させることができるため、インク保持部に必要十分なインクを保持させることができる。
【００４３】
この場合、第二開放部は、スリット状に形成されることが好ましい。このようにすれば、第二開放部に毛細管力を発揮させることができる。これにより、第二開放部において、インクの引き込み力、或いはインクの保持力を持たせることができる。
【００４４】
また、インク誘導部は、インク貯留部に接続される一端部と、該一端部と反対側の他端部とを有する棒状に形成され、該他端部は、第二開放部に重なるように形成されていてもよい。
【００４５】
このようにすれば、インク貯留部のインクは、ホルダー部の第二開放部に重なるインク誘導部の他端部に誘導される。従って、インクが第二開放部からインク保持部に流入し、インク保持部がインクで充満する。この状態で、インク誘導部からインクが供給されると、インク保持部がインクで充満した状態を維持しつつインク保持体内のインクが第一開放部からペン先部に供給される。そして、ペン先部のインクがインクの塗布対象に乗り移り、ペン先部のインクが消費されると、上述の経路を辿ってインクがペン先部に供給される。そして、未使用状態になった場合、インク保持部がインクを保持した状態を維持するため、ペン先部は保湿状態で維持される。
【００４６】
この場合、インク誘導部の他端部は、自身の軸心を基準にして分割された少なくとも二つ以上に分割部を有し、二つ以上の分割部は、自身の軸心と交差する方向に延出し、第二開放部に重なるように形成されてもよい。このようにすれば、単純な構成としつつ第二開放部にインクを供給することができる。すなわち、棒状の素材の端部を分割して（引き裂いて）曲げ加工した単純な構成で、第二開放部にインクを供給することができる。
【発明の効果】
【００４７】
以上のように、本発明に係るペンによれば、ペン先部の乾きを抑制し、円滑に使用を開始することができるという優れた効果を奏し得る。
【００４８】
また、本発明に係るペン用のリフィルによれば、ペン先部の乾きを抑制し、円滑に使用を開始することができるという優れた効果を奏し得る。
【図面の簡単な説明】
【００４９】
【図１】図１は、本発明の一実施形態に係るペンの断面図である。
【図２】図２は、同実施形態に係るペンの断面図であって、ペン本体からキャップを取り外した状態の断面図である。
【図３】図３は、同実施形態に係るペン（ペン本体）の部分拡大断面図である。
【図４】図４は、図３のＩ−Ｉ断面図である。
【図５】図５は、同実施形態に係るペンにおけるホルダー部の平面図である。
【図６】図６は、同実施形態に係るペンにおけるホルダー部の正面図である。
【図７】図７は、図５のＩＩ−ＩＩ断面図である。
【図８】図８は、同実施形態に係るペンにおけるホルダー部の側面図であって、ホルダー部の中心線の延びる方向の一方側から見た側面図である。
【図９】図９は、同実施形態に係るペンにおけるホルダー部の側面図であって、ホルダー部の中心線の延びる方向の他方側から見た側面図である。
【図１０】図１０は、同実施形態に係るペンにおけるホルダー部の斜視図である。
【図１１】図１１は、図６のＩＩＩ−ＩＩＩ断面図である。
【図１２】図１２は、本発明の他実施形態に係るペン（ペン本体）の断面図である。
【図１３】図１３は、本発明の別の実施形態に係るペンの断面図（ペン本体）である。
【図１４】図１４は、本発明のさらに別の実施形態に係るペン（ペン本体）の断面図である。
【図１５】図１５は、本発明のさらに別の実施形態に係るペン（ペン本体）の部分断面図である。
【発明を実施するための形態】
【００５０】
以下、本発明の一実施形態について、添付図面を参照しつつ説明する。なお、本発明に係るペンは、筆記具や化粧具として用いられるものではあるが、本実施形態においては、化粧具（アイライン用のペン）を一例に説明することとする。
【００５１】
本実施形態に係るペンは、図１及び図２に示す如く、インクの塗布対象（本実施形態においては、化粧対象者）にインク（本実施形態においては、アイライン用のインク）を塗布するためのペン先部５１を有するペン本体２と、ペン本体２のペン先部５１を覆うキャップ３とを備える。
【００５２】
ペン本体２は、外装を構成する外装体４と、外装体４に内装されるペン用リフィル（以下、単にリフィルという。）５とを備える。
【００５３】
外装体４は、一端と該一端の反対側の他端とを有する筒状の胴軸部４０と、胴軸部４０の一端を閉塞する尻部４１とを備える。
【００５４】
リフィル５は、インクを貯留するインク貯留部５０と、基端部及び該基端部の反対側の先端部を有するペン先部５１であって、インクの塗布対象にインクを塗布するためのペン先部５１と、インク貯留部５０のインクをペン先部５１に向けて誘導するインク誘導部５２と、ペン先部５１を挿通させる貫通孔５３０を有し、ペン先部５１を貫通孔５３０に挿通させた状態で、該ペン先部５１の先端部を露出させつつ少なくともペン先部５１の基端部を保持するホルダー部５３とを備える。
【００５５】
インク貯留部５０は、インクを収容する内部空間Ｓを画定した周壁部５００を有する。より具体的に説明すると、本実施形態のインク貯留部５０は、一端と該一端の反対側の他端とを有する筒状の周壁部５００と、周壁部５００の一端を閉塞する閉塞部５０１とを備える。これにより、インク貯留部５０は、周壁部５００及び閉塞部５０１によって閉じられた内部空間Ｓを有する。
【００５６】
本実施形態において、インク貯留部５０の内部空間Ｓには、液状のインクが充填される。これに伴い、本実施形態のリフィル５は、図１〜図３に示す如く、ペン先部５１に供給するインクの量を調整するためのコレクタ５４を備える。
【００５７】
コレクタ５４は、万年筆等の直液式の筆記具に採用される所謂羽状調節体である。具体的には、コレクタ５４は、中心線上にインク誘導部５２を貫設するための貫通孔５４０ａを有する主軸部５４０と、該主軸部５４０の軸線方向に間隔をあけて配置された複数の仕切羽５４１…であって、主軸部５４０の外面から延出する複数の仕切羽５４１…とを備えている。コレクタ５４は、主軸部５４０の両端部に径方向外方に延出した鍔部５４２，５４３を有し、両鍔部５４２，５４３間の外面に複数の仕切羽５４１…が延設されている。
【００５８】
複数の仕切羽５４１…のそれぞれは、何れも主軸部５４０の略全周から延出し、円板状に形成される。隣り合う仕切羽５４１…の間隔は、隣り合う仕切羽５４１…間に毛細管力が作用する間隔に設定される。
【００５９】
複数の仕切羽５４１…のそれぞれには、図４に示す如く、主軸部５４０からの延出方向に延びるスリット５４４が形成される。各仕切羽５４１…のスリット５４４は、主軸部５４０の軸線方向で一列をなすように形成される。各仕切羽５４１…のスリット５４４は、主軸部５４０の貫通孔５４０ａを画定する内周面上で開放している。また、複数の仕切羽５４１…のそれぞれには、スリット５４４に対して仕切羽５４１…の周方向でずれた位置に空気交換用の切欠部５４５が設けられている。該切欠部５４５における主軸部５４０の軸線方向から見た開口面積は、スリット５４４よりも広く設定されている。上記構成のコレクタ５４は、図３に示す如く、一方の鍔部５４２でインク貯留部５０（内部空間Ｓ）を閉塞するように設けられる。
【００６０】
より具体的に説明すると、本実施形態に係るリフィル５は、インク貯留部５０の内部空間Ｓを画定する周壁部５００の他端に連続して形成された筒状保持部５５であって、コレクタ５４及びホルダー部５３を同列で保持する筒状保持部５５を備える。これに伴い、コレクタ５４は、一方の鍔部５４２をインク貯留部５０側に位置させた状態で筒状保持部５５に嵌入されている。これにより、コレクタ５４の一方の鍔部５４２は、インクを充填したインク貯留部５０の内部空間Ｓを密閉している。また、筒状保持部５５は、コレクタ５４の複数の仕切羽５４１…を包囲している。
【００６１】
ペン先部５１は、インクを毛細管力や表面張力で保持可能なフェルトチップや毛束、或いは、インクを表面張力等で外面に付着可能なもので構成される。本実施形態において、ペン先部５１は、複数の細毛５１０…を束ねた毛束で構成されている。複数の細毛５１０…は、樹脂繊維であり、それぞれの一端が一体的に溶着されることで毛束を構成している。これに伴い、ペン先部５１は、複数の細毛５１０…の一端を溶着した溶着部５１２であって、毛束の外径（先端部）よりも大径な溶着部５１２を有する。
【００６２】
本実施形態に係るインク誘導部５２は、所謂中継芯であり、インク貯留部５０に接続される一端部と、該一端部と反対側の他端部とを有する棒状に形成されている。具体的には、インク誘導部５２は、吸液性を有し、インク貯留部５０（内部空間Ｓ）とペン先部５１とに跨る長さの棒状に成型されている。一般的に、インク誘導部５２は、吸液性の優れた素材（発泡性樹脂や繊維材）を棒状に成型することで形成され、インクを流通させるインク流通路（図示しない）が外面又は内部に一端から他端にまで連続して形成される。なお、インク流通路は、微細な溝、或いは、微小な連続孔（気泡）により構成される。
【００６３】
インク誘導部５２は、コレクタ５４（主軸部５４０）の貫通孔５４０ａに挿入された状態で、一端側の少なくとも一端面をインク貯留部５０の内部空間Ｓに露呈させ、他端側がペン先部５１の基端に対してインクを供給可能に配置される。
【００６４】
インク誘導部５２は、他端部の終縁がインクの供給位置となるように形成される。本実施形態に係るインク誘導部５２は、ペン先部５１の基端の外周にインクを供給できるように構成されている。すなわち、インク誘導部５２の他端部は、ペン先部５１の基端部の外径よりも大径に形成され、終縁となる外周からペン先部５１の基端部の外周（実際には外周の外側）にインクを誘導する。本実施形態において、インク誘導部５２の他端部は、ホルダー部５３の後述する第二開放部５３５に重なるように形成される。
【００６５】
ホルダー部５３は、上述の如く、ペン先部５１を挿通させる貫通孔５３０を有し、該貫通孔５３０にペン先部５１が先端側を外部に延出させるようにして挿通されている。
【００６６】
ホルダー部５３は、筒状に形成されている。ホルダー部５３は、ペン先部５１の先端部を延出させる先端面（採番しない）と、貫通孔５３０の周囲に形成された環状面５３１であって、該ホルダー部５３の前記先端面に対して反対側を向く環状面５３１とを有する。
【００６７】
より具体的に説明すると、ホルダー部５３は、図５及び図６に示す如く、インク貯留部５０側に位置する大径筒部５３ａと、大径筒部５３ａよりも小径に形成された小径筒部５３ｂであって、大径筒部５３ａと連続した小径筒部５３ｂとを備える。図７に示す如く、大径筒部５３ａの内孔５３０ａと小径筒部５３ｂの内孔５３０ｂとは同心で連続している。
【００６８】
大径筒部５３ａの内孔５３０ａは、インク誘導部５２の他端部を挿入可能に設定された大径孔部５３０ｃと、大径孔部５３０ｃと連続する小径孔部５３０ｄであって、ペン先部５１を挿入可能で且つ大径孔部５３０ｃよりも小径な小径孔部５３０ｄとにより構成される。これにより、ホルダー部５３（大径筒部５３ａ）内には、大径孔部５３０ｃと小径孔部５３０ｄとの異径による段差が形成される。これにより、ホルダー部５３は、貫通孔５３０の周囲に形成された環状面５３１であって、貫通孔５３０を画定する内周面５３２に繋がって当該ホルダー部５３の前記先端に対して反対側を向く環状面５３１を大径孔部５３０ｃと小径孔部５３０ｄとの境界に有する。
【００６９】
小径筒部５３ｂの内孔５３０ｂは、大径筒部５３ａの内孔５３０ａと同心に形成される。また、小径筒部５３ｂの内孔５３０ｂは、大径筒部５３ａの小径孔部５３０ｄと同径に設定され、ペン先部５１を挿入可能に構成される。
【００７０】
従って、大径筒部５３ａの内孔５３０ａ及び小径筒部５３ｂの内孔５３０ｂは、互いに連続することで、ペン先部５１を挿入する貫通孔５３０を形成している。
【００７１】
大径筒部５３ａの小径孔部５３０ｄを画定する内周面５３２ｄと小径筒部５３ｂの内孔５３０ｂの内周面５３２ｂとは連続した面を構成する。すなわち、大径筒部５３ａの小径孔部５３０ｄ及び小径筒部５３ｂの内孔５３０ｂは、ペン先部５１の毛束を挿通可能な連続孔５３６であって、ペン先部５１の毛束を拘束可能な内周面５３２によって画定される連続孔５３６を構成する。なお、以下の説明において、貫通孔５３０のうち、大径筒部５３ａの小径孔部５３０ｄと小径筒部５３ｂの内孔５３０ｂとによって形成された部分を上記表現に併せて連続孔５３６ということとする。
【００７２】
連続孔５３６は、保持するペン先部５１の形状に即して形成される。本実施形態において、連続孔５３６は、図８及び図９に示す如く、当該連続孔５３６の孔中心線の延びる方向から見て円形状に形成されている。なお、本実施形態において、ペン先部５１が毛束で構成されるに伴い、連続孔５３６は、図７に示す如く、大径筒部５３ａ側から該ホルダー部５３の先端面側に向かうにつれて小径になるテーパー孔とされている。
【００７３】
本実施形態に係るホルダー部５３は、インク誘導部５２からのインクを保持可能なインク保持部５３３であって、前記貫通孔５３０の周囲の少なくとも一部に形成されたインク保持部５３３と、前記貫通孔５３０を画定する内周面５３２上で開口した第一開放部５３４であって、インク保持部５３３と連通する第一開放部５３４とを備えている。インク保持部５３３は、貫通孔５３０の周囲に複数形成され、第一開放部５３４は、複数のインク保持部５３３に対応して貫通孔５３０の周囲に複数形成されている。本実施形態において、インク保持部５３３、及び第一開放部５３４のそれぞれは、スリット状（幅狭な隙間状）に形成される
【００７４】
また、ホルダー部５３は、上記構成に加え、環状面５３１上で開口した第二開放部５３５であって、インク保持部５３３と連通する第二開放部５３５を更に備える。本実施形態において、第二開放部５３５は、スリット状（幅狭な隙間状）に形成される。
【００７５】
インク保持部５３３は、図８、図１０、及び図１１に示す如く、貫通孔５３０のうちの連続孔５３６の周囲に設けられる。インク保持部５３３は、貫通孔５３０（連続孔５３６）の孔中心線と同方向に延びるスリット状に形成されている。ここでスリット状とは、毛細管力を発揮し得る幅狭な隙間の如く形成されることを意味する。本実施形態において、インク保持部５３３は、貫通孔５３０（連続孔５３６）の周囲に複数設けられる。そして、上述の如く、インク保持部５３３が貫通孔５３０（連続孔５３６）の孔中心線と同方向に延びるスリット状に形成されることで、複数のインク保持部５３３は、貫通孔５３０（連続孔５３６）を中心にして放射状に配置されている。
【００７６】
インク保持部５３３は、図７に示す如く、貫通孔５３０の中心線方向においてホルダー部５３の基端部側の所定範囲内に形成されている。従って、インク保持部５３３は、ペン先部５１を露出させるホルダー部５３の先端面側へのインクの流通を不能に形成されている。すなわち、インク保持部５３３は、ペン先部５１に付着したインクを塗布対象に塗布したときに、流入したインクがペン先部５１の先端側に引き込まれてペン先部５１の先端に供給されないように、先端側へのインクの流出を阻止可能に形成される。
【００７７】
第一開放部５３４は、図８、図１０、及び図１１に示す如く、貫通孔５３０のうちの連続孔５３６の周囲に設けられ、貫通孔５３０（連続孔５３６）を画定する内周面５３２上で開放している。第一開放部５３４は、貫通孔５３０（連続孔５３６）の孔中心線と同方向に延びるスリット状に形成されている。ここでスリット状とは、毛細管力を発揮し得る幅狭な隙間の如く形成されることを意味する。本実施形態において、第一開放部５３４は、貫通孔５３０（連続孔５３６）の周囲に複数設けられる。本実施形態において、複数の第一開放部５３４…のそれぞれは、複数のインク保持部５３３…に対応して配置される。すなわち、複数の第一開放部５３４…のそれぞれは、対応するインク保持部５３３とともに単一のスリットとして形成される。従って、複数の第一開放部５３４…は、貫通孔５３０（連続孔５３６）を中心にして放射状に配置されている。
【００７８】
第一開放部５３４は、貫通孔５３０の中心線方向においてホルダー部５３の基端部側の所定範囲内に形成されている。従って、第一開放部５３４は、インク保持部５３３と同様に、ペン先部５１を露出させるホルダー部５３の先端側へのインクの流通を不能に形成されている。すなわち、第一開放部５３４は、ペン先部５１に付着したインクを塗布対象に塗布したときに、流入したインクがペン先部５１の先端側に引き込まれてペン先部５１の先端に供給されないように、ホルダー部５３の先端面側へのインクの流出を阻止可能に形成される。
【００７９】
第二開放部５３５は、図８及び図１０に示す如く、貫通孔５３０のうちの連続孔５３６の周囲に設けられ、大径孔部５３０ｃと小径孔部５３０ｄとの境界に形成される環状面５３１上で開口している。第二開放部５３５は、貫通孔５３０（連続孔５３６）の径方向に延びるスリット状に形成されている。ここでスリット状とは、毛細管力を発揮し得る幅狭な隙間の如く形成されることを意味する。本実施形態において、第二開放部５３５は、貫通孔５３０（連続孔５３６）の周囲に複数設けられる。本実施形態において、複数の第二開放部５３５…のそれぞれは、複数のインク保持部５３３…に対応して配置される。すなわち、複数の第二開放部５３５…のそれぞれは、対応するインク保持部５３３及び第一開放部５３４とともに単一のスリットを形成する。従って、複数の第二開放部５３５…は、貫通孔５３０（連続孔５３６）を中心にして放射状に配置されている。
【００８０】
このように、本実施形態のホルダー部５３において、インク保持部５３３、第一開放部５３４、及び第二開放部５３５の配置や形態が対応付けられることで、インク保持部５３３、第一開放部５３４、第二開放部５３５は、単一のスリット（隙間）であって、貫通孔５３０（連続孔５３６）の内周面５３２及び環状面５３１の二箇所で開放（開口）した単一のスリットを形成している。なお、本実施形態においては、第一開放部５３４及び第二開放部５３５は、開口する向きを異にしているが、貫通孔５３０（連続孔５３６）の内周面５３２と環状面５３１との接続箇所で連続して開口している。
【００８１】
そして、ホルダー部５３が上記構成とされるに伴い、図３に示す如く、ペン先部５１は、ペン先部５１の基端部（複数の細毛５１０…を溶着した溶着部５１２）を大径孔部５３０ｃ内に位置させた状態（大径になった溶着部５１２を環状面５３１に当接させた状態）で貫通孔５３０（連続孔５３６）に挿通され、インク誘導部５２の他端部は、大径孔部５３０ｃ内でペン先部５１の基端部と密接している。
【００８２】
ホルダー部５３は、大径筒部５３ａをインク貯留部５０側に位置させた状態で筒状保持部５５に嵌入されている。この状態で、大径筒部５３ａは、コレクタ５４の他方の鍔部５４３に密接しており、インク誘導部５２によって誘導されてきたインクが、ホルダー部５３の外周に漏れ出ることが阻止されている。なお、本実施形態において、ホルダー部５３の小径筒部５３ｂは、筒状保持部５５の先端から延出するが、筒状保持部５５の先端部及びホルダー部５３の小径筒部５３ｂの先端部が共にテーパー筒状に形成され、略連続したテーパー面を構成している。
【００８３】
そして、ペン本体２は、上記構成のリフィル５が外装体４（胴軸部４０）に嵌入された状態で、筒状保持部５５の先端部、ホルダー部５３の先端部（小径筒部５３ｂ）、及びペン先部５１の先端部を外部に露出させている。これにより、本実施形態において、ペン本体２（リフィル５）の筒状保持部５５の先端部及びホルダー部５３の先端部（小径筒部５３ｂ）が使用者の把持部分を構成している。
【００８４】
本実施形態に係るペン１（リフィル５）は、以上の通りであり、次に作用について説明する。
【００８５】
上記構成のペン１（リフィル５）において、インク貯留部５０のインクは、インク誘導部５２によって誘導される。そして、インク誘導部５２に誘導されたインクは、当該インク誘導部５２の他端部に到達すると、インク誘導部５２の他端部からペン先部５１側に供給される。本実施形態においては、ペン先部５１の基端部は、細毛５１０…を溶着した溶着部５１２とされることで透液性が乏しいため、インク誘導部５２は、ペン先部５１の外周に対してインクを供給する。
【００８６】
より具体的には、インク誘導部５２の他端部は、環状面５３１上で開放する第二開放部５３５と重なるように配置されているため、インク誘導部５２の他端部から供給されたインクは、第二開放部５３５に流入する。
【００８７】
本実施形態において、第二開放部５３５がスリット状に形成されているため、第二開放部５３５に毛細管力が生じる。これにより、第二開放部５３５にインクの吸い込み作用が生じ、インク誘導部５２からのインクが第二開放部５３５に対して円滑に流入する。
【００８８】
そして、第二開放部５３５に連通するインク保持部５３３もスリット状に形成されるため、インク保持部５３３にも毛細管力が生じる。これにより、インク保持部５３３にもインクの吸い込み作用が生じ、第二開放部５３５から流入したインクはインク保持部５３３に円滑に流入する。そして、インク保持部５３３と連通する第一開放部５３４についても、スリット状に形成されるため、第一開放部５３４に毛細管力が生じる。これにより、第一開放部５３４にインクの吸い込み作用が生じ、インク保持部５３３内のインクが第一開放部５３４に対して円滑に流入する。その結果、インク保持部５３３、第一開放部５３４、及び第二開放部５３５は、インクで充満する。
【００８９】
第一開放部５３４は、ペン先部５１の挿通された貫通孔５３０（連続孔５３６）を画定した内周面５３２上で開口しているため、第一開放部５３４に到達したインクは、ペン先部５１に供給される。これにより、ペン先部５１は、インクで潤沢となり、インクを該インクの塗布対象（化粧対象者）に塗布可能な状態になる。
【００９０】
そして、ペン先部５１の先端部がインクの塗布対象に接触すると、当該ペン先部５１のインクが消費される。そうすると、ペン先部５１、第一開放部５３４、インク保持部５３３、第二開放部５３５、インク誘導部５２による毛細管力又は表面張力の連鎖により、上記の系統を経てインク貯留部５０のインクがペン先部５１に供給される。従って、本実施形態に係るペン１は、インクの塗布対象に対して連続的にインクを塗布できる。
【００９１】
これに対し、未使用時において、インク貯留部５０からペン先部５１にインクが供給されないが、インク保持部５３３は、自身のインクの保持力（本実施形態においては毛細管力）によってインクを保持している。そして、第一開放部５３４は、インク保持部５３３と連通し、ペン先部５１を挿入した貫通孔５３０を画定した内周面５３２上で開口しているため、インク保持部５３３内のインクが第一開放部５３４を介してペン先部５１に触れた状態となる。
【００９２】
これにより、ペン先部５１は、保湿状態に保たれることになり、乾燥状態になることが抑制される。従って、本実施形態に係るペン１は、円滑に使用を開始することができる。
【００９３】
以上のように、本実施形態に係るペン１（リフィル５）は、インクを貯留するインク貯留部５０と、基端部及び該基端部の反対側の先端部を有するペン先部５１であって、インクの塗布対象にインクを塗布するためのペン先部５１と、インク貯留部５０のインクをペン先部５１に向けて誘導するインク誘導部５２と、ペン先部５１を挿通させる貫通孔５３０を有し、ペン先部５１を貫通孔５３０に挿通させた状態で、該ペン先部５１の先端部を露出させつつ少なくともペン先部５１の基端部を保持するホルダー部５３とを備え、該ホルダー部５３は、インク誘導部５２からのインクを保持可能なインク保持部５３３であって、前記貫通孔５３０の周囲の少なくとも一部に形成されたインク保持部５３３と、前記貫通孔５３０を画定する内周面５３２上で開口した第一開放部５３４であって、インク保持部５３３と連通する第一開放部５３４とを備えている。
【００９４】
上記構成のペン１（リフィル５）によれば、インク貯留部５０のインクがインク誘導部５２を介してペン先部５１に供給され、ペン先部５１がインクで潤沢になる。
【００９５】
これにより、ホルダー部５３から露出するペン先部５１の先端部がインクの塗布対象に接触すると、ペン先部５１に付着したインクが塗布対象に乗り移り、ペン先部５１のインクが消費される。これに伴い、インク貯留部５０に貯留されたインクが、インク誘導部５２を介してペン先部５１に供給される。
【００９６】
従って、本実施形態に係るペン１（リフィル５）は、インクの塗布対象に対してインクを連続的に塗布することができる。
【００９７】
そして、上述の如く、インク貯留部５０のインクがインク誘導部５２に供給されると、該インクは、インク保持部５３３に直接的又は間接的に供給され、インク保持部５３３に保持される。すなわち、インク保持部５３３にインクが保持されることで、ペン先部５１の周囲にインクの液貯めが形成される。
【００９８】
ホルダー部５３は、インク保持部５３３は、ペン先部５１が挿入される貫通孔５３０を画定する内周面５３２上で開口した第一開放部５３４を有するため、インク保持部５３３に保持されたインクが貫通孔５３０に挿通されたペン先部５１に対して触れた状態になり、ペン先部５１に保湿効果が与えられる。その結果、ペン先部５１の乾きが抑制され、円滑な使用の開始が可能となる。
【００９９】
本実施形態に係るペン１（リフィル５）において、インク保持部５３３は、スリット状に形成されているため、インク保持部５３３に毛細管力を発揮させることができ、流入したインクを確実に保持することができる。また、本実施形態に係るペン１（リフィル５）において、第一開放部５３４は、スリット状に形成されているため、第一開放部５３４に毛細管力を発揮させることができる。これにより、第一開放部５３４において、インクの引き込み力、或いはインクの保持力を持たせることができる。
【０１００】
また、本実施形態に係るペン１（リフィル５）において、インク保持部５３３は、貫通孔５３０の周囲に複数形成され、第一開放部５３４は、複数のインク保持部５３３…に対応して貫通孔５３０の周囲に複数形成されているため、ペン先部５１の外周周りの複数箇所にインクの液溜まりが形成されることになり、ペン先部５１に対する保湿効果をより高めることができる。
【０１０１】
特に、本実施形態に係るペン１（リフィル５）において、ホルダー部５３は、ペン先部５１の先端部を延出させる先端面と、貫通孔５３０の周囲に形成された環状面５３１であって、該ホルダー部５３の先端面に対して反対側を向く環状面５３１とを有するとともに、前記環状面５３１上で開口した第二開放部５３５であって、インク保持部５３３と連通する第二開放部５３５を更に備えるため、第一開放部５３４及び第二開放部５３５のそれぞれが、インク保持部５３３と連通し、第一開放部５３４及び第二開放部５３５の少なくとも何れか一方からインク保持部５３３にインクが流入する。
【０１０２】
そして、第一開放部５３４及び第二開放部５３５によって、インク保持部５３３が二箇所で開放した空間となるため、第一開放部５３４又は第二開放部５３５の何れか一方からインク保持部５３３に向けてインクが流入するときに、第一開放部５３４又は第二開放部５３５の何れか他方からインク保持部５３３内の空気又はインクが外部に押し出される。これにより、本実施形態に係るペン１（リフィル５）は、インク誘導部５２からのインクをインク保持部５３３に対して円滑に流入させることができるため、インク保持部５３３に必要十分なインクを保持させることができる。
【０１０３】
特に、第二開放部５３５は、スリット状に形成されるため、第二開放部５３５に毛細管力を発揮させることができる。これにより、第二開放部５３５において、インクの引き込み力、或いはインクの保持力を持たせることができる。
【０１０４】
そして、インク誘導部５２は、インク貯留部５０に接続される一端部と、該一端部と反対側の他端部とを有する棒状に形成され、該他端部は、第二開放部５３５に重なるように形成されているため、インク貯留部５０のインクは、ホルダー部５３の第二開放部５３５に重なるインク誘導部５２の他端部に誘導される。従って、インクは、第二開放部５３５からインク保持部５３３に流入し、インク保持部５３３がインクを保持する。すなわち、インク保持部５３３がインクで充満する。インク誘導部５２からインクが供給されると、インク保持部５３３がインクで充満した状態を維持しつつインク保持体内のインクが第一開放部５３４からペン先部５１に供給される。そして、インクの塗布対象にインクが移され、ペン先部５１のインクが消費されると、上述の経路を辿ってインクがペン先部５１に供給される。そして、未使用状態になった場合、インク保持部５３３がインクを保持した状態を維持するため、ペン先部５１は保湿状態で維持される。
【０１０５】
なお、本発明は、上記実施形態に限定されるものではなく、本発明の要旨を逸脱しない範囲で適宜変更可能である。
【０１０６】
上記実施形態において、化粧に用いられる化粧具としてのペン１について説明したが、これに限定されるものではない。例えば、筆記を行うための筆記具（文具）としてのペン１であっても勿論よい。
【０１０７】
上記実施形態において、外装体４（胴軸部４０）にペン用リフィル５のインク貯留部５０が内装されたペン１であって、当該ペン用リフィル５が外装体４（胴軸部４０）に固着されたペン１について説明したが、これに限定されない。例えば、外装体４（胴軸部４０）に対してペン用リフィル５が着脱可能（交換可能）に取り付けられるペン１であってもよい。すなわち、ペン用リフィル５は、外装体４（胴軸部４０）に固着されるものに限定されるものではなく、外装体４（胴軸部４０）に着脱可能に構成されたものであってもよい。
【０１０８】
また、外装体４（胴軸部４０）にペン用リフィル５が取り付けられたペン１に限定されるものではなく、例えば、外装体４（胴軸部４０）がインク貯留部５０を形成し、該外装体４（胴軸部４０）にインク誘導部５２やホルダー部５３、ペン先部５１が取り付けられたペン１であってもよい。すなわち、ペン用リフィル５の外径及びサイズを筆記に適したものにしてペン１そのものにしたものであってもよい。
【０１０９】
上記実施形態において、タンク状に形成したインク貯留部５０に液状のインクをそのまま収容し、ペン先部５１に対するインク貯留部５０からのインクの供給量を調整するコレクタ５４を設けたが、これに限定されない。例えば、図１２に示す如く、コレクタ５４を設けることなく、単にインク誘導部５２でインク貯留部５０のインクをペン先部５１に供給するようにしてもよい。
【０１１０】
また、インク貯留部５０は、図１３に示す如く、内部空間Ｓ全体に充填されたインク吸蔵材５６にインクを吸蔵させたものや、図１４に示す如く、内部空間Ｓの所定領域に液状のインクを充填し、内部空間Ｓの残りの領域に充填された吸液性を有するインク吸蔵材５７にインクを吸蔵させたもの等であってもよい。
【０１１１】
上記実施形態において、ホルダー部５３は、第二開放部５３５を備えたが、これに限定されない。例えば、ホルダー部５３は、インクの流入や保持に関する構成として、インク保持部５３３及び第一開放部５３４だけを備え、インク保持部５３３に対するインクの出し入れを第一開放部５３４で行うようにしたものであってもよい。この場合、インク保持部５３３を密閉空間にすると、インク保持部５３３内に残存する空気或いはインクが、第一開放部５３４によるインクの出し入れを阻害する傾向にあるため、インク保持部５３３を開放空間とする通気路（インク保持部５３３と外部とを連通させる通気路）を設けるようにすることが好ましい。
【０１１２】
上記実施形態において、インク保持部５３３が貫通孔５３０の軸心と同方向に延びるスリット状に形成されたが、これに限定されない。例えば、インク保持部５３３は、貫通孔５３０の周方向に延びるスリット状に形成されたものであってもよい。この場合、インク保持部５３３は、貫通孔５３０の周囲で無端環状をなす環状溝状に形成されてもよいし、貫通孔５３０を画定する内周面５３２の一部に溝状に形成されてもよい。また、インク保持部５３３は、スリット状（溝状）に形成されたものに限定されるものではなく、単なる空洞であってもよい。また、インク保持部５３３が貫通孔５３０の周囲に複数形成さたり、貫通孔５３０の周囲全周に形成されたりしたものに限定されない。例えば、インク保持部５３３は、貫通孔５３０の周囲の少なくとも一箇所に設けられればよい。
【０１１３】
上記実施形態において、第一開放部５３４がインク保持部５３３と対応して貫通孔５３０の軸心と同方向に延びるスリット状に形成されたが、これに限定されない。例えば、インク保持部５３３は、貫通孔５３０の周方向に延びるスリット状に形成された場合、第一開放部５３４は、インク保持部５３３に沿うようにスリット状に形成されてもよい。この場合、第一開放部５３４は、内周面５３２の全周に亘って連続的に開放するように形成されてもよいし、内周面５３２の一部で開放するように形成されてもよい。また、第一開放部５３４は、インク保持部５３３の形態に対応したものに限定されるものではなく、インク保持部５３３と異なる形態に形成されてもよい。すなわち、第一開放部５３４は、ペン先部５１と対向する内周面５３２上で開放し、且つインク保持部５３３と連通していれば、種々形態に変更可能である。
【０１１４】
上記実施形態において、第二開放部５３５がインク保持部５３３と対応して環状面５３１上でスリット状に形成されたが、これに限定されない。すなわち、第二開放部５３５は、ホルダー部５３の先端とは反対側に向く面（環状面５３１）上で開放し、且つインク保持部５３３と連通していれば、種々形態に変更可能である。
【０１１５】
上記実施形態において、第二開放部５３５にインクを供給すべく、インク誘導部５２（誘導芯）の他端部を大径に成形したが、第二開放部５３５にインクを供給する場合、インク誘導部５２の形態はこれに限定されない。例えば、図１５に示す如く、インク誘導部５２の他端部は、自身の軸心を基準にして分割された少なくとも二つ以上に分割部を有し、二つ以上の分割部は、自身の軸心と交差する方向に延出し、第二開放部５３５に重なるように形成されてもよい。このようにすれば、単純な構成としつつ第二開放部５３５にインクを供給することができる。このように、インク誘導部５２が他端部に二つ以上の分割部を有する形態とする場合、二つ以上の分割部は、インク誘導部５２における他の部位と共に一体的に成形されてもよい。すなわち、インク誘導部５２は、二つ以上の分割部を含む最終形態に対応した型を有する金型により全体が一体成形されたものであってもよい。また、別の態様として、二つ以上の分割部は、棒状の素材の端部を二つ以上に裂いた上で曲げ加工することで形成されてもよい。すなわち、インク誘導部５２は、棒状の素材の端部を二つ以上に裂いた上で、その裂かれた部分を曲げ加工することで二つ以上の分割部が形成されたものであってもよい。
【０１１６】
上記実施形態において、第二開放部５３５にインクを供給し、インク保持部５３３及び第一開放部５３４を介してペン先部５１にインクを供給するようにしたが、これに限定されない。例えば、インク誘導部５２を棒状に形成し、該インク誘導部５２の他端部をペン先部５１内に挿入してもよい。このようにすれば、インク誘導部５２がペン先部５１に対してインクを直接供給する。この場合、ペン先部５１がインクで潤沢になると、ペン先部５１にあるインクが第一開放部５３４からインク保持部５３３に流入し、インク保持部５３３が流入したインクを保持する。従って、ペン先部５１の周囲にインクの液溜まりが形成されることになり、未使用状態が続いてもインク保持部５３３に保持されたインク（第一開放部５３４を介して接触するインク）により、ペン先部５１が保湿状態で維持される。この場合、上記実施形態と同様に、第二開放部５３５が設けられていれば、インク保持部５３３が開放空間になるため、第一開放部５３４からインクが流入するときに、インク保持部５３３内の空気が第二開放部５３５から外部に押し出せることになり、インク保持部５３３に対するインクの流入が円滑且つ確実になる。
【０１１７】
上記実施形態においては、第一開放部５３４及び第二開放部５３５は、貫通孔５３０（連続孔５３６）の内周面５３２と環状面５３１との接続箇所で連続して開口したが、これに限定されない。例えば、ホルダー部５３が第一開放部５３４及び第二開放部５３５を備える場合、第一開放部５３４及び第二開放部５３５は、インク保持部５３３に連通していれば、不連続に形成されてもよい。
【符号の説明】
【０１１８】
１…ペン、２…ペン本体、３…キャップ、４…外装体、５…ペン用リフィル、５…ペン用リフィル（リフィル）、４０…胴軸部、４１…尻部、５０…インク貯留部、５１…ペン先部、５２…インク誘導部、５３…ホルダー部、５３ａ…大径筒部、５３ｂ…小径筒部、５４…コレクタ、５５…筒状保持部、５００…周壁部、５０１…閉塞部、５１０…細毛、５１２…溶着部、５３０…貫通孔、５３０ａ…内孔、５３０ｂ…内孔、５３０ｃ…大径孔部、５３０ｄ…小径孔部、５３１…環状面、５３２…内周面、５３２ｂ…内周面、５３２ｄ…内周面、５３３…インク保持部、５３４…第一開放部、５３５…第二開放部、５３６…連続孔、５４０…主軸部、５４０ａ…貫通孔、５４１…仕切羽、５４２，５４３…鍔部、５４４…スリット、５４５…切欠部、Ｓ…内部空間
【図１】
0006406970.tif 000002
【図２】
0006406970.tif 000003
【図３】
0006406970.tif 000004
【図４】
0006406970.tif 000005
【図５】
0006406970.tif 000006
【図６】
0006406970.tif 000007
【図７】
0006406970.tif 000008
【図８】
0006406970.tif 000009
【図９】
0006406970.tif 000010
【図１０】
0006406970.tif 000011
【図１１】
0006406970.tif 000012
【図１２】
0006406970.tif 000013
【図１３】
0006406970.tif 000014
【図１４】
0006406970.tif 000015
【図１５】
0006406970.tif 000016